【事件の表示】
　特願２００１−１１５９０７「携帯用丸鋸」拒絶査定不服審判事件〔平成１４年１０月２３日出願公開、特開２００２−３０７２３１〕について、次のとおり審決する。
【結　論】
　本件審判の請求は、成り立たない。
【理　由】
第１．手続の経緯
　本願は、平成１３年４月１３日の出願であって、平成１８年１１月１０日付けで拒絶査定がなされ、これに対し、平成１９年１月１８日に拒絶査定に対する審判請求がなされるとともに、同年１月１９日付けで明細書を補正対象書類とする手続補正（以下、「本件補正」という。）がなされたものである。
　
第２．本件補正についての補正却下の決定
［補正却下の決定の結論］
　本件補正を却下する。
［理由］
（１）補正後の本願発明
　本件補正により、特許請求の範囲は、
「【請求項１】本体と、本体に内蔵される電動機と、該電動機により回動し前記本体に回動可能に保持された鋸刃と、該鋸刃外周の一部を覆うソーカバーと、前記本体に設けられ、前記鋸刃の一部を下方に突出させる穴を有するベースと、前記鋸刃の延長上に位置するガイドとを備え、前記ベースからの前記鋸刃の突出量を調整可能な構成をした携帯用丸鋸であって、前記鋸刃の延長上及び前記ガイドに光線を照射可能なレーザ発振器を設け、該レーザ発振器を前記ソーカバー上に
前記鋸刃の軸心と平行に延びたピンを介して
前記レーザ発振器を前記ピンを支点として回動可能、且つ回動位置を規制可能とし、更に前記ピン上での位置を移動可能としたことを特徴とする
【請求項２】
前記ガイドを、前記鋸刃の側面に直交する方向に移動可能に前記ベースに設けられたガイドピースに設けた
【請求項３】前記レーザ発振器は前記電動機の起動を制御するスイッチにより起動可能とすると共に、前記レーザ発振器のＯＦＦを可能とするスイッチを設けたことを特徴とする請求項１あるいは請求項２に記載の携帯用丸鋸。」と、補正された。
　上記補正は、以下の事項からなる。
　
補正事項１
　請求項１に記載された発明の構成事項である「レーザ発振器」について、「レーザ発振器を前記ソーカバー上に前記鋸刃の軸心と平行に延びたピンを介して配置」するとの限定、及び、「レーザ発振器を前記ピンを支点として回動可能、且つ回動位置を規制可能とし、更に前記ピン上での位置を移動可能とした」との限定を付加する。
　
補正事項２
　請求項２に記載された発明の構成事項である「ガイド」について、「ガイドを、前記鋸刃の側面に直交する方向に移動可能に前記ベースに設けられたガイドピースに設けた」との限定を付加する。
　
補正事項３
　請求項４を削除する。
　これらの補正事項は、平成１８年法律第５５号による改正前（以下、「改正前」という。）の特許法第１７条の２第４項第２号の特許請求の範囲の減縮、及び第１号の請求項の削除を目的とするものに該当する。
　
（２）請求項１に係る発明について
　そこで、本件補正後の前記減縮された請求項１に記載された発明（以下、「本願補正発明１」という。）が特許出願の際独立して特許を受けることができるものであるか（平成１８年法律第５５号による改正前の特許法第１７条の２第５項において準用する同法第１２６条第４項の規定に適合するか）について以下に検討する。
　
（３）引用例
　原査定の拒絶の理由に引用された米国特許第５，４６１，７９０号明細書（以下、「引用例１」という。）には、レーザガイドを備えた回転鋸装置に関して、明細書には、図面と合わせて、以下の記載がある。
「DESCRIPTION OF THE PREFERRED EMBODIMENT
　With reference now to the drawings, and in particular to FIGS. 1 through 6 thereof, the preferred embodiment of the new and improved circular saw with laser guide for more precise movement during cutting embodying the principles and concepts of the present invention and generally designated by the reference numeral 10 will be described.
　The present invention, in its broadest context, is in a circular saw 10. The circular saw includes the blade 12, the shield 14, the blade plate 16, and a laser device 18.
　More specifically, the saw 10 has for its primary component a circular blade 12. The blade has a peripheral edge 22 with cutting teeth 24. When the blade is rotated about its axis, the teeth are rotated and will act to cut any workpiece 26 which is contacted by the rotating blade. In addition to the blade 12, the saw 10 includes a housing 28 with a motor, not shown, therein. The housing also has a handle 30 for being held by an operator with a trigger 32 coupled to the motor for stopping and starting the rotation of the blade.
　For safety purposes, the blade is covered with a shield 14. The shield surrounds the serrations of the blade to preclude the user from cutting himself or herself during operation and use. The upper shield 36 is fixedly positioned with respect to the rotating blade. It is located above the workpiece to be cut. The shield also includes a lower shield component 38. The lower shield component covers the lower extent of the blade which is normally beneath the workpiece during operation and use.  The lower shield component is rotatable when not in use from the position as shown in FIG. 1 wherein the user is protected to an operative position as shown in FIG. 2 wherein the lower shield component is located within the upper shield 36. This exposes the blade during operation and use while the blade is rotating to cut the workpiece.
　The next component of the saw 10 is the blade plate 16. The blade plate includes a lower planar surface adapted to ride on the workpiece 26 while the workpiece is being cut. The blade plate 16 has an elongated aperture 42 through the center thereof for the passage of the blade during cutting. The aperture is sufficient size as to allow the positioning therein of the lower shield section 38 when the saw is not in use.
　Located at the front edge of the plate is a notch 44. The notch is in vertical alignment with the plane of the blade. In this manner, the user may keep his eye on the line of the workpiece where the cut is to be made as well as the notch. By moving the notch 44 along the line of the workpiece to be cut, the blade will follow in a line wherein the cut is intended to be made.
　Located on the shield 14 is a laser device 18. The laser device is provided with a light source 46 positioned to project a beam downwardly and forwardly along the line of the workpiece where it is intended to cut. Consequently, the laser beam is adapted to be in alignment with the plane of the blade as well as the notch of the blade plate. A power source 48 is provided in the laser device. The power source is such as to project a beam in the visible spectrum at between about 630 and 670 nanometers in wavelength within the visible spectrum. Such power source is also adapted to function at between about two and five milliwatts of optical power, a safe level for normal use.」（第４欄第１５行ないし第５欄第１２行）
　これは、当審の訳によれば、以下の内容を示すものと認められる。
「実施例の説明
図１ないし６によって、符号１０で示される本発明の回転鋸が説明される。
　回転鋸１０は、鋸刃１２、覆い１４、鋸刃板１６と、レーザ素子１８を備え、ワーク２６、モータを収納したハウジング２８、ハンドル３０を備える。
　安全のため、鋸刃は覆い１４に覆われる。上部覆い３６は、固定され、切断されるワークの上部に位置する。切断中、ワークの下に出る鋸刃を覆う下部覆い３８も備わる。
　下部覆いは回転し、回転鋸が使われていないときは図１に示される位置にあり、回転鋸使用中は、図２に示される上部覆い３６の中に位置する。このようにして、鋸刃が露出するので、ワークを切断することができる。
　鋸刃板１６は、切断中、ワーク２６に接する平らな下面を有し、開口部４２を通して鋸刃が突出する。開口部４２は、使われないときの下部覆い３８が通るのに充分な大きさである。
　鋸刃板の前縁には切り込み４４が設けられ、鋸刃の面に整列している。これにより、操作者はワークのケガキ線と切り込みを注視することができる。切り込み４４をワークのケガキ線に沿って動かせば、鋸刃はケガキ線通りに切断する。
　覆い１４にはレーザ素子１８が取り付けられ、レーザ素子は光源４６を有し、光束を下方、かつ、前方に向けて照射し、これから切断する線を示す。結果的に、レーザ光線は、鋸刃の切断面に整列するように調整され、鋸刃板の切り込みも同様に整列している。電源４８はレーザ素子内に設けられている。電源は、６３０から６７０ナノメートル波長の可視光線の光束を照射するようなものである。この電源は、２から５ミリワットの光出力を出すようなものなので、通常の使用では安全な光量である。」
　
　また、以下の記載もある。
「Shown in FIGS. 3 and 4 is a first support means 56. Such first support means is for coupling the housing 18 with the shield 14. Such support means includes a dovetail projection 58 adapted to ride in a dovetail groove 60 of a corresponding size and configuration. In association therewith is a locking pin 62 adapted to retain the dovetail projection and laser device in its preset orientation for a particular application. The dovetail groove 60 is formed in a housing 64. Such housing is curved to conform with the curvature of the exterior surface of the shield to which it is permanently coupled as through screws 66. In this manner, the laser device 10 may be moved upwardly or downwardly with respect to the housing 64 and shield 36 to vary the location of the fanned laser light to a greater or lesser extent along the line of the workpiece to be cut.
　In association therewith, a bracket 70 with apertures 72 supports the laser device to the dovetail projection 58. The apertures 72 of the housing receive threaded rods 74 with threaded nuts 76 thereover. Such an arrangement allows for angular reorientation of the laser device and its beam without its movement with respect to the shield. A setscrew 85 allows rotational alignment of laser line generating device to be locked and maintained within blade plane.」（第５欄第３１行ないし同欄第５３行）
　これは、当審の訳によれば、以下の内容を示すものと認められる。
「図３と４には、第１の支持部材５６が示され、これはハウジング１８と覆い１４を繋いでいる。支持部材５６は所定の大きさと向きの、あり接ぎ突部５８とあり溝６０からなり、ロックピン６２は使用時の向きを固定する。あり溝６０はハウジング６４に形成され、このハウジングは覆いの外側の曲面に沿って曲げられ、ねじ６６で固定されている。これにより、レーザ素子１０（当審注：１８の、誤記。）は、覆い３６とハウジング６４に沿って上下に移動可能となり、切断するワーク上に照射するレーザ光の大きさを大きくしたり小さくしたりできる。
　さらに、孔７２を開けたブラケット７０は、レーザー素子をあり接ぎ突部５８に取り付け、孔７２はナット７６をねじ込むことにより、ねじ棒７４を支持し、これにより、覆い上の位置を変えることなく、レーザ素子と光束の角度の方向転換をすることができる。セットねじ８５は、レーザ光による線発生機構の回動角度を、鋸刃の面に合わせて、回動・固定可能としている。」
　そして、図１ないし図４を参照すると、ねじ棒７４の向きは、鋸刃の回転軸心と平行であることがみてとれる。
　以上によれば、引用例１には、「回転鋸であって、モータにより回動し本体に回動可能に保持された鋸刃と、ハンドルと、該鋸刃外周の一部を覆う覆いと、前記本体に設けられ、前記鋸刃の一部を下方に突出させる開口部を有する鋸刃板と、鋸刃の延長上に位置する切り込みとを備えた回転鋸であって、前記鋸刃の延長上及び前記切り込みに光線を照射可能なレーザ素子を設け、該レーザ素子を前記覆い上に前記鋸刃の軸心と平行に延びたねじ棒を介して配置し、前記レーザ素子を前記ねじ棒を支点として回動可能、且つ回動位置を規制可能とした回転鋸。」との発明（以下、「引用例発明１」という。）が開示されていると認められる。
　
　同じく、原査定の拒絶の理由に引用された特開２０００−２２５６０３号公報（以下、「引用例２」という。）には、「切断機の切断位置決め装置」に関して、図面とともに以下の記載がある。
「切断材料を支持するベース部にホルダを立設し、ホルダにベース部に対し上下揺動自在な切断刃物部を設けた切断機において、レーザー発振器を切断刃物部又はホルダで、かつ前記切断刃物部が上限位置にあるときレーザー光の一部又は全部が切断刃物の下方を通過し、切断材料の上面を照射するように設けたことを特徴とする切断機の切断位置決め装置。」（【特許請求の範囲】【請求項１】）
「切断材料を支持するベース部と、切断材料を切断する切断刃物部と、切断位置を照射するレーザー発振器を切断機本体に支持した切断機において、レーザー発振器は切断機本体に支持された支持部材の凹部内に水平方向に摺動自在に収納され、支持部材の左右のいずれか一方にねじ部材をねじ嵌合させ、ねじ部材先端をレーザー発振器の側面に当接させ、レーザー発振器をねじ部材側へ押圧する弾性体を凹部内に設けたことを特徴とする切断機の切断位置決め装置。」（【特許請求の範囲】【請求項２】）
「【発明の属する技術分野】本発明は、帯のこ盤、卓上丸のこなどの切断機のレーザー発振器を用いる切断位置決め装置に関するものである。
【従来の技術】従来の切断材料に切断刃物の切断位置を示すレーザー光を照射するレーザー発振器として、実開昭６２−１５００１９号公報や西独特許公開３４０６９０４号公報が開示されている。
　実開昭６２−１５００１９号は、切断材料の上方に切断刃物を有し、切断材料に切断刃物の切断位置を示すレーザー光を切断材料に照射するレーザー発振器を固定したもので、西独特許公開３４０６９０４号は、スライドバーを介してレーザー発振器を水平移動自在にしたものである。
　図９に示すように、例えば外径２５５ｍｍの切断刃物１０（丸のこ）であれば、切断幅ａは通常２．５ｍｍ程度で、レーザー光Ｌの幅ｂは通常約０．８ｍｍで、レーザー光Ｌと切断幅ａには差があった。よって、切断刃物１０の切断位置を示す位置として、作業者の好みにより図１０に示すように切断刃物１０刃幅の左右端の内側、又は図１１に示すように左右端の外側などにレーザー光Ｌを照射したい場合がある。
　実開昭６２−１５００１９号の場合、レーザー発振器が固定されているため、レーザー光と切断位置の差を目視で確認して切断しなければならないため、切断位置に誤差が生じる可能性があった。西独特許公開３４０６９０４号の場合、レーザー発振器は水平移動するが、レーザー発振器の微調整が困難であった。
　この問題を解消したものに、米国特許５２８５７０８号明細書，米国特許５３７５４９５号明細書がある。切断材料の上方に切断刃物部を有し、切断刃物の上方前部にレーザー発振器を配置したもので、レーザー発振器は、レーザー発振器の凹溝と切断刃物部側のレールを嵌合させることで、レーザー発振器はレールに案内され切断刃物の幅の両端間を水平移動可能に保持されている。
【発明が解決しようとする課題】上記構成は、切断刃物上部から切断刃物の下方に位置する切断材料にレーザー光を照射しているため、切断刃物刃幅の左端の内側又は右端の内側をレーザー光の照射位置に設定しようとすると、レーザー光と切断刃物が一直線上に位置するため、レーザー光は切断刃物で遮断され切断材料にレーザー光が照射されない。よって、切断刃物でレーザー光が遮断されないようにするためには、切断刃物に対し切断刃物幅の左端の外側又は右端の外側にしかレーザー光の照射位置を設定することができなかった。また、凹溝とレールとの間にすきまがあった場合、レーザー発振器にガタが発生するため、レーザー発振器の水平移動精度が不安定となり、切断刃物の切断位置を示す正確さに問題があった。
　本発明の目的は、上記した従来の欠点をなくし、切断刃物刃幅の内側に切断刃物の位置を示すレーザー光を照射できるようにすることである。
　また、他の目的は、切断刃物刃幅の左右端の内側又は左右端の外側などの任意の位置にレーザー光を移動調整できるようにすることである。
【課題を解決するための手段】上記目的は、レーザー発振器を切断刃物部又はホルダで、かつ前記切断刃物部が上限位置にあるときレーザー光の一部又は全部が切断刃物の下方を通過し、切断材料の上面を照射するように設けることにより達成される。
　また、他の目的は、レーザー発振器は切断機本体に支持された支持部材の凹部内に水平方向に摺動自在に収納され、支持部材の左右のいずれか一方にねじ部材をねじ嵌合させ、ねじ部材先端をレーザー発振器の側面に当接させ、レーザー発振器をねじ部材側へ押圧する弾性体を凹部内に設けることにより達成される。」（【０００１】〜【００１１】）
「図３において、ホルダ５の前面に支持部材３２を固定する。図５に示すように支持部材３２中央に矩形の凹部３３を有し、凹部３３内に矩形のレーザー発振器３０が収納されている。レーザー光Ｌはレーザー発振器３０の照射部３０ａから照射され、支持部材３２は切断刃物部８が上限位置にあるとき、レーザー光Ｌの一部又は全部が切断刃物１０の下方を通過するようにレーザー発振器３０を設けている。なお、レーザー発振器３０には図示していないが、レーザー光Ｌを照射するためのスイッチを設けている。また、本実施形態では、レーザー発振器３０のレーザー光Ｌの照射部３０ａは、切断刃物１０の刃先１０ａの延長線上に位置している。
　上記構成において、切断刃物部８が上限位置にあるとき、レーザー発振器３０から照射されたレーザー光Ｌは、切断刃物１０の刃先１０ａよりも下方を通過するので、切断刃物１０に邪魔されることなく切断材料４０の上面にレーザー光Ｌが照射される。よって、切断刃物１０の位置として切断刃物１０刃幅の左端の内側や右端の内側を示すようにレーザー発振器３０を取り付けても、切断材料４０上面にレーザー光Ｌを照射できる。」（【００２０】〜【００２１】）
「次に、レーザー発振器３０の調整について図５〜図９を用いて説明する。図５は図３のＢ−Ｂ線一部断面図、図６は図５のＣ−Ｃ線断面図、図７は図６のＤ−Ｄ線一部断面図、図８，図９は切断材料の斜視図である。
　図５に示すように、支持部材３２の左側面に設けためねじ部３２ａにねじ部材となるノブ３４のねじ部３４ａがねじ嵌合し、ノブ３４は凹部３３内に貫通し、ノブ３４の先端はレーザー発振器３０の左側面に当接している。レーザー発振器３０の右側面と支持部材３２の右内壁間に弾性体である圧縮バネ３５を保持し、レーザー発振器３０をノブ３４側へ押圧することで、レーザー発振器３０とノブ３４とのガタをなくしている。図６において、レーザー発振器３０の上面と支持部材３２の上内壁間に弾性体である圧縮バネ３６を左右に２個保持し、レーザー発振器３０を支持部材３２の下面に押圧している。凹部３３の後部にレーザー発振器３０の背面を当接させる凸状の当接面３３ａを設け、支持部材３２の後方からボルト３７を挿通し、レーザー発振器３０にねじ嵌合させて固定している。ボルト３７と支持部材３２の間に圧縮バネ３８を支持し、レーザー発振器３０を支持部材３２の後端側へ押圧している。また、支持部材３２の左右に支持部材３２を貫通する一対のストッパ３９をねじ嵌合させ、レーザー発振器３０が所定位置まで移動すると、ストッパ３９の先端がレーザー発振器３０の側面に当接し、レーザー発振器３０の水平移動の範囲を規制している。
　上記構成において、ノブ３４を回転させノブ３４を左方向に移動させた場合、レーザー発振器３０は圧縮バネ３５の復元力により左側に水平摺動する。ノブ３４を右方向に移動させた場合、レーザー発振器３０はノブ３４に押され右側に水平摺動する。ノブ３４を１回転させたときのレーザー発振器３０の移動量はノブ３４のねじのリード分だけとなり、レーザー発振器３０の微調整が可能となる。このとき、レーザー発振器３０は圧縮バネ３５、圧縮バネ３６、ボルト３７、圧縮バネ３８により、凹部３３内の左側面、下面及び背面に押圧され、レーザー発振器３０のガタがなくなるとともに、作業中の振動などによってノブ３４が回転し、不用意にレーザー発振器３０が移動することもない。
　これにより、レーザー光Ｌの照射位置を図１０に示すように切断刃物１０刃幅の左右端の内側に設定したり、図１１に示すように切断刃物１０刃幅の左右端の外側に設定したりと、切断刃物１０の刃幅のどの位置にでもレーザー光Ｌを一致させることができる。」（【００２３】〜【００２６】）
　以上の記載によれば、引用例２には、丸のこなどの切断機において、切断材料に切断刃物の切断位置を示すレーザー光を照射するレーザー発振器を用いる切断位置決め装置に関し、「切断刃物刃幅の左右端の内側又は左右端の外側などの任意の位置にレーザー光を移動調整できるようにする」という課題解決のため、「レーザー発振器を支持部材の凹部内で左右に位置調整するためのねじ部とそのねじを回すためのノブを備えた切断機の切断位置決め装置。」（以下、「引用例発明２」という。）が記載されている。
　
（４）対比
　そこで、本願補正発明１と引用例発明１とを比較すると、引用例発明１の「回転鋸」はモータにより回転する鋸刃とハンドルを備え、操作者がこのハンドルを持ってワーク上を摺動させてワークを切断するものであるから、「携帯用丸鋸」とみることができ、本願補正発明１と一致している。
　また、引用例発明の「覆い」は本願補正発明の「ソーカバー」に、同様に、「鋸刃板」は、「ベース」に、「レーザ素子」は、「レーザ発振器」に、「切り込み」は、「ガイド」に、相当している。
　そして、引用例発明のレーザ素子１８のねじ棒７４は、その機能、及び配置からみて、本願補正発明のピンに相当し、レーザ素子がねじ棒７４を軸として回動可能な点、及びナット７６によってレーザ素子の回動位置が規制可能な点も共通しているから、両者は、
「本体と、本体に内蔵される電動機と、該電動機により回動し前記本体に回動可能に保持された鋸刃と、該鋸刃外周の一部を覆うソーカバーと、前記本体に設けられ、前記鋸刃の一部を下方に突出させる穴を有するベースと、鋸刃の延長上に位置するガイドとを備えた携帯用丸鋸であって、前記鋸刃の延長上及び前記ガイドに光線を照射可能なレーザ発振器を設け、該レーザ発振器を前記ソーカバー上に前記鋸刃の軸心と平行に延びたピンを介して配置し、前記レーザ発振器を前記ピンを支点として回動可能、且つ回動位置を規制可能とした携帯用丸鋸。」
　の点で一致し、以下の点で相違している。
　
＜相違点１＞
　本願補正発明では、「ベースからの鋸刃の突出量を調整可能とした」ものであるのに対し、引用例発明１はそのようなものではない点。
　
＜相違点２＞
　本願補正発明では、レーザ発振器のピン上での位置を移動可能としたのに対し、引用例発明１はレーザ素子がピンによって支持されてはいるものの、「ピン上を移動可能ではない」点。
　
（５）判断
＜相違点１＞について
　携帯用丸鋸において、ベースからの鋸刃の突出量を調整可能とすることは、従来周知の事項であり、原査定の備考において、このことが周知事項であるとして示された文献、特開平８−１１８３０２号公報、特開平１０−１４６７１８号公報にも記載されている。
　してみれば、相違点１に係る構成の違いは、引用例発明１に周知事項を適用したにすぎないものであり、当業者が容易に想到し得たものである。
　
＜相違点２＞について
　相違点２を検討すると、相違点２に関する目的・機能においては、本願補正発明１は、引用例発明２と異なるところはない。なぜならば、本願補正発明１のレーザ発振器がピン上での位置を移動可能であるのは、レーザ光の被切断材上の照射位置を左右に調整するためであり、この点は、引用例発明２も同様である。
　そして、本願補正発明１が相違点２として採用した具体的な構成、「ピン上を移動可能」とした点についてみても、鋸刃の回転軸心と平行なピンがあったならば、そのピン上の位置を調整可能とすれば、レーザ光の被切断材上の照射位置が左右に調整可能となるのは自明なことであって、そのようなピンは引用例発明１に含まれているものである。
　してみれば、本願補正発明１が相違点２を採用したのは、引用例発明１に引用例発明２を組み合わせ、さらに、自明な事項を限定したにすぎないと言うべきものであって、当業者が容易に想到し得たものである。
　
　したがって、本願補正発明１は、引用例発明１、引用例発明２及び周知事項に基いて、当業者が容易に発明をすることができたものであるから、特許法第２９条第２項の規定により特許出願の際独立して特許を受けることができないものである。
　
（６）むすび
　以上のとおり、本件補正は、改正前の特許法第１７条の２第５項において準用する同法第１２６条第４項の規定に違反するので、特許法第１５９条第１項で読み替えて準用する同法第５３条第１項の規定により却下されるべきものである。
　
第３．本願発明について
（１）本願発明
　本件補正は上記のとおり却下されたので、本願の請求項１ないし４に係る発明は、平成１８年１０月１９日付け手続補正書の特許請求の範囲の請求項１ないし４に記載されたとおりのものと認められるところ、請求項１ないし４に係る発明（以下、「本願発明１」ないし「本願発明４」という。）は、以下のとおりのものである。
　
「【請求項１】本体と、本体に内蔵される電動機と、該電動機により回動し前記本体に回動可能に保持された鋸刃と、該鋸刃外周の一部を覆うソーカバーと、前記本体に設けられ、前記鋸刃の一部を下方に突出させる穴を有するベースと、前記鋸刃の延長上に位置するガイドとを備え、前記ベースからの前記鋸刃の突出量を調整可能な構成をした携帯用丸鋸であって、前記鋸刃の延長上及び前記ガイドに光線を照射可能なレーザ発振器を設け、該レーザ発振器を前記ソーカバー上に配置し、前記鋸刃の軸心と平行に延びた回動中心を支点として回動可能とし、前記レーザ発振器の回動位置を規制可能としたことを特徴とする携帯用丸鋸。
【請求項２】前記レーザ発振器を前記鋸刃の軸心と平行に移動可能とすると共に、前記ガイドを、前記鋸刃の側面に直交する方向に移動可能に前記ベースに設けられたガイドピースに設けたことを特徴とする請求項１記載の携帯用丸鋸。
【請求項３】前記レーザ発振器は前記電動機の起動を制御するスイッチにより起動可能とすると共に、前記レーザ発振器のＯＦＦを可能とするスイッチを設けたことを特徴とする請求項１あるいは請求項２に記載の携帯用丸鋸。
【請求項４】前記レーザ発振器を前記平行に移動可能とするピンを設けると共に、前記ピンを前記レーザ発振器の前記回動の支点としたことを特徴とする請求項１〜請求項３のいずれか１項記載の携帯用丸鋸。」
　
（２）引用例
　原査定の拒絶の理由に引用された引用例、および、その記載事項、ならびに周知事項は、前記第２．に記載したとおりである。
　
（３）対比・判断
　本願発明１は、前記第２．で検討した本願補正発明１から、前記第２．（１）に記載した補正事項１の構成を省いたものである。
　そうすると、本願発明１の構成を全て含み、さらに他の構成を付加したものに相当する本願補正発明１が、前記第２．に記載したとおり、引用例発明１、引用例発明２及び周知事項に基いて、当業者が容易に発明をすることができたものであるから、本願発明１も、同様の理由により、引用例発明１、引用例発明２及び周知事項に基いて、当業者が容易に発明をすることができたものである。
　
（４）むすび
　以上のとおり、本願発明１は、引用例発明１、引用例発明２及び周知事項に基いて、当業者が容易に発明をすることができたものであるから、特許法第２９条第２項の規定により特許を受けることができず、他の発明についてみるまでもなく、本願は拒絶すべきものである。
　よって、結論のとおり審決する。